(57)【要約】  チリングユニットは、平面視して長方形状の機械室が形成された筐体と、筐体の上部に設けられ、内部に送風機室が形成された空気熱交換器と、空気熱交換器の上部に設けられ、送風機室の空気を外部に排出する第一ファンユニットと、を備え、筐体の機械室には、一方の長手側の側面側に、長手方向に沿って一方の側面に隙間が形成されるように設置された複数の制御箱と、各制御箱の背面側に設けられ、送風機室に向かう風路を形成するダクトと、ダクトの下側に設けられ、制御箱周辺の空気をダクトに送風する、厚さが隙間未満の第二ファンユニットと、第二ファンユニットを載置する台板金と、を備えており、第二ファンユニットの、隙間側の側面には台板金に着脱可能な固定手段により固定される固定部が設けられており、もう一方の側面には突起部が設けられており、台板金の上面には、突起部が挿入され、挿入された突起部を挟み込むストッパーが設けられており、第二ファンユニットは、固定部から固定手段が外され、ストッパーから突起部が抜かれた状態では、台板金上をスライド可能に設けられているものである。
2021024409.tif 000002
【特許請求の範囲】
【請求項１】
平面視して長方形状の機械室が形成された筐体と、
前記筐体の上部に設けられ、内部に送風機室が形成された空気熱交換器と、
前記空気熱交換器の上部に設けられ、前記送風機室の空気を外部に排出する第一ファンユニットと、を備え、
前記筐体の前記機械室には、
一方の長手側の側面側に、長手方向に沿って一方の側面に隙間が形成されるように設置された複数の制御箱と、
各前記制御箱の背面側に設けられ、前記送風機室に向かう風路を形成するダクトと、
前記ダクトの下側に設けられ、前記制御箱周辺の空気を前記ダクトに送風する、厚さが前記隙間未満の第二ファンユニットと、
前記第二ファンユニットを載置する台板金と、を備えており、
前記第二ファンユニットの、前記隙間側の側面には前記台板金に着脱可能な固定手段により固定される固定部が設けられており、もう一方の側面には突起部が設けられており、
前記台板金の上面には、前記突起部が挿入され、挿入された前記突起部を挟み込むストッパーが設けられており、
前記第二ファンユニットは、
前記固定部から前記固定手段が外され、前記ストッパーから前記突起部が抜かれた状態では、前記台板金上をスライド可能に設けられている
チリングユニット。
【請求項２】
前記第二ファンユニットを２つ備え、
一方の前記第二ファンユニットの上面の他方の前記第二ファンユニット側、および、他方の前記第二ファンユニットの上面の一方の前記第二ファンユニット側には、連結部が設けられており、
２つの前記第二ファンユニットは、前記連結部で着脱可能な固定手段により固定されることで連結されている
請求項１に記載のチリングユニット。
【請求項３】
前記筐体は、上面に設けられ、前記機械室と前記送風機室とを連通させる通気孔が形成されたドレン板を有し、
前記ドレン板の上面には、前記通気孔を覆うカバー部材が設けられている
請求項１または２に記載のチリングユニット。
【請求項４】
前記ドレン板は、前記通気孔の周縁に、上方に突出した周壁部を有している
請求項３に記載のチリングユニット。
【請求項５】
前記ドレン板には、下方に凹んだドレン樋が形成されており、
前記カバー部材は、前記通気孔と前記ドレン樋とを連通させている
請求項３または４に記載のチリングユニット。
【請求項６】
前記ドレン板の下面には、前記ダクトから排出された空気を前記通気孔に案内するガイド部材が設けられている
請求項３〜５のいずれか一項に記載のチリングユニット。
【発明の詳細な説明】
【技術分野】
【０００１】
本発明は、冷温もしくは温水を生成するチリングユニットに関するものである。
【背景技術】
【０００２】
従来、機械室に配置され、圧縮機を含む、冷凍サイクル動作を制御する電装ボックスと、電装ボックスの内部の発熱部品から発せられる熱気を排熱可能なファン装置と、を有するチリングユニットがある（例えば、特許文献１参照）。【０００３】
特許文献１のチリングユニットにおいて、ファン装置は、電装ボックスの上面などに取り付けられており、回転駆動により電装ボックスの内部に空気を発生させる。そして、この空気の流れによって、電装ボックスの内部の熱気が、電装ボックスの上面などに設けられたダクトを通って機外に排熱されることで、電装ボックス内の内部が冷却される。このチリングユニットでは、ファン装置を故障などにより交換しなければならない場合、側面の狭い作業スペースから内部のファン装置を取り出す必要がある。
【先行技術文献】
【特許文献】
【０００４】
【特許文献１】国際公開第２０１７／２１６９８７号
【発明の概要】
【発明が解決しようとする課題】
【０００５】
しかしながら、特許文献１のような従来のチリングユニットでは、ファン装置を交換する際に、側面の狭い作業スペースから電装ボックスを取り出さなければファン装置を取り出すことができないため、サービス性がよくないという課題があった。【０００６】
本発明は、以上のような課題を解決するためになされたもので、サービス性を向上させたチリングユニットを提供することを目的としている。
【課題を解決するための手段】
【０００７】
本発明に係るチリングユニットは、平面視して長方形状の機械室が形成された筐体と、前記筐体の上部に設けられ、内部に送風機室が形成された空気熱交換器と、前記空気熱交換器の上部に設けられ、前記送風機室の空気を外部に排出する第一ファンユニットと、を備え、前記筐体の前記機械室には、一方の長手側の側面側に、長手方向に沿って一方の側面に隙間が形成されるように設置された複数の制御箱と、各前記制御箱の背面側に設けられ、前記送風機室に向かう風路を形成するダクトと、前記ダクトの下側に設けられ、前記制御箱周辺の空気を前記ダクトに送風する、厚さが前記隙間未満の第二ファンユニットと、前記第二ファンユニットを載置する台板金と、を備えており、前記第二ファンユニットの、前記隙間側の側面には前記台板金に着脱可能な固定手段により固定される固定部が設けられており、もう一方の側面には突起部が設けられており、前記台板金の上面には、前記突起部が挿入され、挿入された前記突起部を挟み込むストッパーが設けられており、前記第二ファンユニットは、前記固定部から前記固定手段が外され、前記ストッパーから前記突起部が抜かれた状態では、前記台板金上をスライド可能に設けられているものである。
【発明の効果】
【０００８】
本発明に係るチリングユニットによれば、第二ファンユニットの、隙間側の側面には台板金に着脱可能な固定手段により固定される固定部が設けられており、もう一方の側面には突起部が設けられており、台板金の上面には、突起部が挿入され、挿入された突起部を挟み込むストッパーが設けられている。そして、第二ファンユニットは、固定部から固定手段が外され、ストッパーから突起部が抜かれた状態では、台板金上をスライド可能に設けられているものである。さらに、第二ファンユニットの厚さは、隙間未満である。そのため、固定部からネジを外し、ストッパーから突起部を抜いた状態で第二ファンユニットを台板金上でスライドさせ、隙間から第二ファンユニットを取り出すことができる。つまり、チリングユニットの筐体の長手側の側面から制御箱を取り出すことなく第二ファンユニットを交換することができるため、サービス性を向上させることができる。
【図面の簡単な説明】
【０００９】
【図１】実施の形態に係るチリングユニットの外観斜視図である。
【図２】実施の形態に係るチリングユニットの筐体の横断面を平面視した図である。
【図３】図２のＢ矢視部を制御箱の背面側から見た平面図である。
【図４】図２のＢ矢視部を制御箱の背面側から見た斜視図である。
【図５】実施の形態に係る２つの制御箱の間の隙間周辺を示す斜視図である。
【図６】実施の形態に係る制御箱を側面視した図である。
【図７】図１のＡ矢視部の縦断面を拡大した斜視図である。
【図８】実施の形態に係る筐体のドレン板周辺の斜視図である。
【図９】実施の形態に係る筐体のドレン板の通気孔周辺の拡大図である。
【図１０】図８に示す筐体の縦断面の平面図である。
【図１１】図１０のＤ矢視部を拡大した図である。
【図１２】図４のＣ矢視部を拡大した図である。
【図１３】実施の形態に係る第二ファンユニットを平面視した図である。
【図１４】図１２のＥ矢視部を拡大した図である。
【図１５】実施の形態に係る第二ファンユニットの取り出し方法を説明する第一の図である。
【図１６】実施の形態に係る第二ファンユニットの取り出し方法を説明する第二の図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。また、以下に説明する実施の形態では、チリングユニット１００を正面視した状態において、「上」、「下」、「右」、「左」、「前」、「後」などを使用する。
【００１２】
実施の形態．
図１は、実施の形態に係るチリングユニット１００の外観斜視図である。
本実施の形態に係るチリングユニット１００は、例えば利用側装置から供給される水・不凍液などの伝熱流体を冷却または加熱して利用側装置に送給し、循環することにより、利用側装置に冷熱または温熱を供給する熱源装置として利用されるものである。
【００１３】
チリングユニット１００は、筐体１０と、筐体１０の上部に設けられた空気熱交換器２０と、空気熱交換器２０の上部に設けられた第一ファンユニット３０とを備えている。筐体１０は、例えば建物の屋上のような水平な設置面に上に据え付けられている。また、筐体１０は、奥行き寸法が幅寸法よりも格段に大きな細長い中空の箱状に形成されている。筐体１０の長手側の両側面には、それぞれ複数の第一側板１１が設けられている。筐体１０の短手側の両側面には、それぞれ第二側板１２が設けられている。筐体１０の上面には、ドレン板１３が設けられている。筐体１０の底面には、底板１４が設けられている。また、筐体１０の内部には、第一側板１１、第二側板１２、ドレン板１３、および、底板１４で囲まれた、平面視して長方形状の機械室１５が形成されている。
【００１４】
空気熱交換器２０は、チリングユニット１００の長手側の両側面に、奥行き方向に沿って複数、例えば２つ設けられている。また、空気熱交換器２０は、筐体１０の幅方向に間隔を空けて向かい合うように配置されており、上方に進むに従い互いに遠ざかる方向に傾けられている。空気熱交換器２０は、複数のプレートフィンと複数の冷媒配管とを組み合わせて構成されている。また、向かい合う空気熱交換器２０の間には、上下方向に延びた送風機室２２が形成されている。
【００１５】
第一ファンユニット３０は、奥行き方向に沿って複数、例えば４つ設けられている。第一ファンユニット３０は、ファン３１と、ファン３１を駆動するファンモータ（図示せず）と、ファン３１の外周を覆う円筒形状のファンカバー３２と、を備えている。また、ファンカバー３２の内部には、第一排気口３３が形成されている。
【００１６】
ファン３１が駆動されると、チリングユニット１００の周囲の空気が空気熱交換器２０を通過して送風機室２２に吸い込まれる。送風機室２２に吸い込まれた空気は、第一排気口３３に向けて吸い上げられるとともに、第一排気口３３からチリングユニット１００の上方に向けて排出される。
【００１７】
図２は、実施の形態に係るチリングユニット１００の筐体１０の横断面を平面視した図である。
機械室１５の内部には、圧縮機４１などを含む冷媒回路４０と、冷媒回路４０を制御する各種の電気部品を収容した箱体形状の制御箱５０とが設けられている。冷媒回路４０は、筐体１０の一方の長手側の側面側に、長手方向に沿って複数設置されている。各冷媒回路４０は、各空気熱交換器２０に対して互いに独立した系統となっており、圧縮機４１なども各空気熱交換器２０に対応して合計４台設けられている。制御箱５０は、筐体１０の他の長手側の側面側に、長手方向に沿って複数設置されている。制御箱５０に収容されている電気部品の一例としては、圧縮機４１を制御する圧縮機基板、第一ファンユニット３０を制御するファン基板、インバータおよびコンバータのような複数のパワーモジュール、複数の平滑コンデンサ、および、力率改善用の複数のリアクトルなどである。制御箱５０は、それぞれ２つの冷媒回路４０を制御するように構成されており、合計２台設けられている。また、機械室１５の内部には、チリングユニット１００の長手方向の一端部側に水熱交換器４２が複数設置されている。水熱交換器４２は、チリングユニット１００の外部に設置された利用側装置から供給される例えば、水・不凍液などの伝熱流体と、冷媒回路４０を構成する冷凍サイクルの冷媒との間で熱交換するためのプレート熱交換器群からなっている。
【００１８】
水熱交換器４２は、第一接続配管４３で流路を連結された複数のプレート熱交換器を用いて構成されている。この例では、２つのプレート熱交換器を並列化したものを直列に接続するように設置されている。その水熱交換器４２の１次側は熱源側の冷媒回路４０に対して第二接続配管４４によって接続され、２次側は利用側に伝熱流体を送る送給管４６と利用側から戻る伝熱流体を受け入れる戻り管４５が外部に延びる形で接続され、熱源側と利用側で循環されるように構成されている。なお、この例では互いに独立した４系統の冷凍サイクルを有する冷媒回路４０が設置されているので、水熱交換器４２における第二接続配管４４は、その水熱交換器４２の内部に互いに独立して形成された流路に繋がる４組が設けられている。また、伝熱流体の循環用の供給動力が熱源ユニット設置場所の設備で準備ができない場合は、戻り管４５の取り付け部に液体ポンプ４７が連結された形態での製品提供がなされる。
【００１９】
ここで、上記のように構成されたチリングユニット１００の動作について説明する。冷媒回路４０を動作させ、空気熱交換器２０の上部に設けられたファンモータを作動させ、ファン３１を回転させる。そうすることにより、外気が空気熱交換器２０の外側の側面から多数のプレートフィンの間を通過して送風機室２２に吸い込まれる。送風機室２２に吸い込まれた空気は、第一排気口３３に向けて吸い上げられるとともに、第一排気口３３からチリングユニット１００の上方に向けて排出される。この動作により、冷媒回路４０から送られてきた冷媒と空気熱交換器２０の側面の周囲の外気とが熱交換され、熱交換された外気はチリングユニット１００の上方へと排出される。
【００２０】
なお、熱交換された冷媒は、冷媒回路４０内に含まれる水熱交換器４２で戻り管４５を介して供給される水・不凍液などの伝熱流体と熱交換され、冷媒は冷媒回路４０内に再び戻り、外部から供給された伝熱流体は送給管４６を介して外部へと排出される。なお、伝熱流体の外部からの供給にあたり、伝熱流体供給の動力源を利用側で準備できない場合、戻り管４５に液体ポンプ４７が介挿され、熱源側でその液体ポンプ４７を稼働させることにより伝熱流体の外部からの供給・循環を行う。なお、冷媒回路４０内に切替弁４８を設け、圧縮機４１で圧縮された冷媒を空気熱交換器２０と水熱交換器４２とに通流させる順路を逆にすることで、外部から供給される伝熱流体は冷却および加熱の両方を行うことができる。
【００２１】
図３は、図２のＢ矢視部を制御箱５０の背面側から見た平面図である。図４は、図２のＢ矢視部を制御箱５０の背面側から見た斜視図である。図５は、実施の形態に係る２つの制御箱５０の間の隙間ｔ周辺を示す斜視図である。図６は、実施の形態に係る制御箱５０を側面視した図である。なお、図５は、２つの制御箱５０のうち一方の制御箱５０の背面側の構成を図示省略している。また、図６は、ダクト５３が取り外された状態の制御箱５０を示している。
【００２２】
図３〜図５に示すように、２つの制御箱５０は、一方の側面に人の握り拳が入る程度の隙間ｔが空けられて配置されている。また、図６に示すように、各制御箱５０の背面側には、ファン基板を冷却するためのファン基板ヒートシンク５１と、ファン基板ヒートシンク５１の下側に配置され、圧縮機基板を冷却するための圧縮機基板ヒートシンク５２と、が設けられている。さらに、図３〜図５に示すように、各制御箱５０の背面側には、ファン基板ヒートシンク５１および圧縮機基板ヒートシンク５２を覆って風路を形成するダクト５３が設けられている。
【００２３】
また、各制御箱５０の背面側には、ダクト５３の直下に配置され、ダクト５３に送風して発熱源となる制御箱５０周辺で熱せられた空気を排気する第二ファンユニット６０が設けられている。そのため、ダクト５３は、制御箱５０周辺で熱せられた空気を圧縮機４１など周囲に撹拌されないように排気するための風路を形成している。第二ファンユニット６０は、底板１４に取り付けられている台板金５４の上に載置された状態でネジ固定されている。台板金５４は、制御箱５０の幅方向に延びるように設けられている。また、２つの台板金５４は、それらの間に第二ファンユニット６０の幅よりも小さい隙間を空けて配置されている。
【００２４】
図７は、図１のＡ矢視部の縦断面を拡大した斜視図である。図８は、実施の形態に係る筐体１０のドレン板１３周辺の斜視図である。図９は、実施の形態に係る筐体１０のドレン板１３の通気孔１３ａ周辺の拡大図である。図１０は、図８に示す筐体１０の縦断面の平面図である。図１１は、図１０のＤ矢視部を拡大した図である。なお、図１１中の矢印は、空気の流れを示している。
【００２５】
図７、図９、および、図１０に示すように、ドレン板１３には、ダクト５３から送風機室２２へ流れる空気が通過する通気孔１３ａが形成されている。この通気孔１３ａは、ドレン板１３の長手方向に沿って複数形成されており、それら通気孔１３ａは、ダクト５３の上方に形成されている。また、通気孔１３ａの周縁には、周壁部１３ｂが設けられている。また、図７および図８に示すように、ドレン板１３の短手方向中心には、下方に凹んだドレン樋１３ｃが長手方向に沿って形成されている。また、ドレン板１３の上面には、複数の通気孔１３ａを全て覆うようにカバー部材１６が設けられており、このカバー部材１６によって、送風機室２２内に入り込んだ雨水あるいは除霜運転による水が通気孔１３ａに浸入するのを抑制している。さらに、周壁部１３ｂによって、水が通気孔１３ａに浸入するのを抑制する効果を高めている。また、図７、図１０、および、図１１に示すように、カバー部材１６は、各通気孔１３ａとドレン樋１３ｃとを連通させるように設けられている。このように、各通気孔１３ａとドレン樋１３ｃとを連通させるようにカバー部材１６を設けることで、排水性を向上させつつ、機械室１５から送風機室２２へ向かう風路を形成することができる。また、ドレン板１３の下面には、通気孔１３ａの近くに設けられ、ダクト５３からの空気を通気孔１３ａに案内するガイド部材１７が設けられている。
【００２６】
チリングユニット１００は、室内および屋外両方への設置が想定されており、屋外へ設置した場合、雨あるいは雪などが第一排気口３３から送風機室２２内に入り込むこととなる。また、チリングユニット１００の周囲の外気温度が摂氏０度程度以下の低温である場合、利用側から供給された伝熱流体を加熱する暖房運転を継続して行うと、外気中に含まれる水蒸気が空気熱交換器２０の表面で凝縮し、さらに凍ることで霜が生成される。この霜は空気熱交換器２０での外気の通過を妨げ、チリングユニット１００の性能を低減させてしまうので、性能維持のための制御として、一時的に冷房運転に切り替えられる。冷房運転を行うことで空気熱交換器２０の表面温度が上昇するため、空気熱交換器２０の表面に付いた霜が溶け、外気の通過が通常通りになる。この場合も、霜が融けてできた大量の水が送風機室２２内の下部方向に滴下する。
【００２７】
このようにして送風機室２２内に入り込んだ雨水あるいは除霜運転による水は、ドレン板１３またはカバー部材１６へと落下する。その落下した水は、ドレン板１３およびカバー部材１６に沿って短手方向中心側に流れていき、ドレン樋１３ｃへと落下する。ドレン樋１３ｃはチリングユニット１００の長手方向に傾いており、ドレン樋１３ｃの下流側に取り付けられたドレン排出口（図示せず）から水が排出される。
【００２８】
図１２は、図４のＣ矢視部を拡大した図である。図１３は、実施の形態に係る第二ファンユニット６０を平面視した図である。図１４は、図１２のＥ矢視部を拡大した図である。なお、以下において、２つの第二ファンユニット６０のうち、隙間ｔに近い方を第二ファンユニット６０ａ、遠い方を第二ファンユニット６０ｂとする。
【００２９】
図１２および図１３に示すように、第二ファンユニット６０ａ、６０ｂは、第二ファン６１と、第二ファン６１を駆動する第二ファンモータ（図示せず）と、第二ファン６１の外周を覆う箱形状の第二ファンカバー６２と、を備えている。また、第二ファンカバー６２の内部には、第二排気口６３が形成されている。また、第二ファンユニット６０ａ、６０ｂは、高さ（厚さ）が隙間ｔ未満となっている。本実施の形態では、２つの第二ファンユニット６０ａ、６０ｂが、制御箱５０の幅方向に連結されている。なお、本実施の形態では、２つの第二ファンユニット６０ａ、６０ｂが連結された構成であるが、それに限定されず、１つの第二ファンユニット６０、または、３つ以上の第二ファンユニット６０が連結された構成でもよい。
【００３０】
第二ファンユニット６０ａの上面の第二ファンユニット６０ｂ側、および、第二ファンユニット６０ｂの上面の第二ファンユニット６０ａ側には、連結部６４が設けられている。そして、第二ファンユニット６０ａと第二ファンユニット６０ｂとは、連結部６４で着脱可能な固定手段であるネジによって固定されることで連結されている。なお、連結部６４の固定手段としては、ネジに限定されず、例えばピン、ビス、あるいはボルトなど別の手段でもよい。
【００３１】
第二ファン６１が駆動されると、発熱源となる制御箱５０周辺で熱せられた空気が第二排気口６３に向けて吸い上げられるとともに、第二排気口６３からその上方に配置されているダクト５３に向けて吹き出される。ダクト５３に吹き出された空気は、ダクト５３内を上昇し、圧縮機基板ヒートシンク５２およびファン基板ヒートシンク５１の側を通過する際にそれらにおける放熱を促す。その後、ファン基板ヒートシンク５１の側を通過した空気は、図１１に示すように、ダクト５３の上方から排出された後、ガイド部材１７によってドレン板１３に形成された通気孔１３ａに吸い込まれる。通気孔１３ａに吸い込まれた空気は、カバー部材１６とドレン板１３との間を通ってドレン樋１３ｃに流れ、その後、送風機室２２に吸い込まれ、排熱される。このように、本実施の形態では、第二ファンユニット６０を、制御箱５０の背面側の下部に配置し、第二排気口６３からその上方に配置されているダクト５３に向けて空気を吹き出す構造とした。そのため、ダクト５３から空気を吸い込む構造に比べて風量を大きく取ることができ、制御箱５０の温度上昇を抑制することができる。
【００３２】
図１２および図１３に示すように、第二ファンユニット６０ａの、第二ファンユニット６０ｂと対向しない方の側面の下部には、着脱可能な固定手段であるネジによって固定される固定部６５が設けられており、台板金５４の隙間ｔ側の側面の上部にネジ固定されている。また、第二ファンユニット６０ｂの、第二ファンユニット６０ａと対向しない方の側面の下部には、突起部６６が設けられている。なお、固定部６５の固定手段としては、ネジに限定されず、例えばピン、ビス、あるいはボルトなど別の手段でもよい。
【００３３】
図１４に示すように、突起部６６は、第二ファンユニット６０ｂの側面から水平方向に突出した水平部６６ａと、上方に傾斜がつけられた先端部６６ｂとで構成されている。また、台板金５４の上面の、隙間ｔ側の側面から２つの第二ファンユニット６０ａ、６０ｂの幅分離れた位置には、ストッパー５５が設けられている。ストッパー５５には、突起部６６の先端部６６ｂが挿入可能な凹部５５ａが設けられている。この凹部５５ａには、突起部６６の先端部６６ｂと同様の傾斜がつけられており、突起部６６の先端部６６ｂが水平となるように傾けられた状態で挿入される。そうなることで、ストッパー５５が突起部６６を挟み込み、台板金５４上の長手方向の動きを規制する。
【００３４】
２つの第二ファンユニット６０ａ、６０ｂは、ストッパー５５の凹部５５ａに突起部６６が挿入され、固定部６５が台板金５４の隙間ｔ側の側面にネジ固定されることにより、台板金５４に固定されている。２つの第二ファンユニット６０ａ、６０ｂは、固定部６５からネジを外し、第二ファンユニット６０ｂを傾けてストッパー５５から突起部６６を抜いた状態では、台板金５４上をその長手方向に沿ってスライドできるようになっている。
【００３５】
第二ファンユニット６０を故障などにより交換しなければならない場合、チリングユニット１００の筐体１０の長手側の側面の外側の狭い作業スペースから内部の第二ファンユニット６０を取り出す必要がある。次に、第二ファンユニット６０の取り出し方法について説明する。なお、作業スペースは、チリングユニット１００の制御箱５０が設置されている側の側面の外側の位置に形成される。
【００３６】
図１５は、実施の形態に係る第二ファンユニット６０の取り出し方法を説明する第一の図である。図１６は、実施の形態に係る第二ファンユニット６０の取り出し方法を説明する第二の図である。なお、図１５は、筐体１０の長手側の側面を内側から見た図であり、図１６は、筐体１０の長手側の側面を作業スペースがある外側から見た図である。また、図１５中の破線は、移動前の第二ファンユニット６０の位置を示しており、図１５および図１６中の矢印は、第二ファンユニット６０の移動方向を示している。
【００３７】
まず始めに、制御箱５０の一方の側面に形成された隙間ｔ、図１５では２つの制御箱５０の間の隙間ｔにドライバーを持った手を入れ、第二ファンユニット６０ａの側面に設けられている固定部６５からネジをドライバーで外す。次に、第二ファンユニット６０ａを持ち上げて連結された第二ファンユニット６０ｂを傾けてストッパー５５から突起部６６を抜く。次に、２つの第二ファンユニット６０ａ、６０ｂをスライドさせ、２つの台板金５４に跨がる位置に配置する。このとき、連結部６４が２つの制御箱５０の間の隙間ｔから見える位置に来るので、連結部６４からネジをドライバーで外し、第二ファンユニット６０ａと第二ファンユニット６０ｂとの連結を解除する。最後に、２つの第二ファンユニット６０ａ、６０ｂを、それぞれ順番に短手方向に傾けて隙間ｔから取り出す。
【００３８】
なお、一番端に配置されている第二ファンユニット６０ａ、６０ｂは、スライド方向に台板金５４がない。その場合は、第二ファンユニット６０ａ、６０ｂをスライドさせて連結部６４が隙間ｔから見える位置になったらその位置で停止する。そして、第二ファンユニット６０ａ、６０ｂを手で支えた状態で連結部６４からネジをドライバーで外し、第二ファンユニット６０ａと第二ファンユニット６０ｂとの連結を解除する。最後に、２つの第二ファンユニット６０ａ、６０ｂを、それぞれ順番に短手方向に傾けて隙間ｔから取り出す。
【００３９】
このように、本実施の形態では、第二ファンユニット６０の交換時、チリングユニット１００の筐体１０の長手側の側面の狭い作業スペースから第二ファンユニット６０を取り出す際に、制御箱５０を取り出す必要がない。つまり、制御箱５０を取り出すことなく第二ファンユニット６０を取り出すことができるため、従来に比べてサービス性を向上させることができる。
【００４０】
以上、本実施の形態に係るチリングユニット１００は、平面視して長方形状の機械室１５が形成された筐体１０と、筐体１０の上部に設けられ、内部に送風機室２２が形成された空気熱交換器２０と、空気熱交換器２０の上部に設けられ、送風機室２２の空気を外部に排出する第一ファンユニット３０と、を備えている。また、筐体１０の機械室１５には、一方の長手側の側面側に、長手方向に沿って一方の側面に隙間ｔが形成されるように設置された複数の制御箱５０と、各制御箱５０の背面側に設けられ、送風機室２２に向かう風路を形成するダクト５３と、ダクト５３の下側に設けられ、制御箱５０周辺の空気をダクト５３に送風する、厚さが隙間ｔ未満の第二ファンユニット６０と、第二ファンユニット６０を載置する台板金５４と、を備えている。また、第二ファンユニット６０の、隙間ｔ側の側面には台板金５４に着脱可能な固定手段により固定される固定部６５が設けられており、もう一方の側面には突起部６６が設けられている。また、台板金５４の上面には、突起部６６が挿入され、挿入された突起部６６を挟み込むストッパー５５が設けられている。そして、第二ファンユニット６０は、固定部６５から固定手段が外され、ストッパー５５から突起部６６が抜かれた状態では、台板金５４上をスライド可能に設けられているものである。
【００４１】
本実施の形態に係るチリングユニット１００によれば、第二ファンユニット６０の、隙間ｔ側の側面には台板金５４に着脱可能な固定手段により固定される固定部６５が設けられており、もう一方の側面には突起部６６が設けられている。また、台板金５４の上面には、突起部６６が挿入され、挿入された突起部６６を挟み込むストッパー５５が設けられている。そして、第二ファンユニット６０は、固定部６５から固定手段が外され、ストッパー５５から突起部６６が抜かれた状態では、台板金５４上をスライド可能に設けられているものである。さらに、第二ファンユニット６０の厚さは、隙間ｔ未満である。そのため、固定部６５から固定手段を外し、ストッパー５５から突起部６６を抜いた状態で第二ファンユニット６０を台板金５４上でスライドさせ、制御箱５０間の隙間ｔから第二ファンユニット６０を取り出すことができる。つまり、チリングユニット１００の筐体１０の長手側の側面から、制御箱５０を取り出すことなく第二ファンユニット６０を交換することができるため、サービス性を向上させることができる。
【００４２】
また、本実施の形態に係るチリングユニット１００は、第二ファンユニット６０を２つ備え、一方の第二ファンユニット６０の上面の他方の第二ファンユニット６０側、および、他方の第二ファンユニット６０の上面の一方の第二ファンユニット６０側には、連結部６４が設けられている。そして、２つの第二ファンユニット６０は、連結部６４で着脱可能な固定手段により固定されることで連結されている。
【００４３】
本実施の形態に係るチリングユニット１００によれば、２つの第二ファンユニット６０をスライドさせ、２つの台板金５４に跨がる位置に配置する。このとき、連結部６４が２つの制御箱５０の間の隙間ｔから見える位置に来るので、連結部６４から固定手段をドライバーなどで外し、第二ファンユニット６０ａと第二ファンユニット６０ｂとの連結を解除する。最後に、２つの第二ファンユニット６０を、それぞれ順番に短手方向に傾けて隙間ｔから取り出す。このように、第二ファンユニット６０が２つ連結された場合であっても、チリングユニット１００の筐体１０の長手側の側面の狭い作業スペースから第二ファンユニット６０を取り出す際に、制御箱５０を取り出す必要がない。つまり、制御箱５０を取り出すことなく連結された２つの第二ファンユニット６０を取り出すことができるため、従来に比べてサービス性を向上させることができる。
【００４４】
また、本実施の形態に係るチリングユニット１００において、筐体１０は、上面に設けられ、機械室１５と送風機室２２とを連通させる通気孔１３ａが形成されたドレン板１３を有し、ドレン板１３の上面には、通気孔１３ａを覆うカバー部材１６が設けられている。
【００４５】
本実施の形態に係るチリングユニット１００によれば、ドレン板１３の上面には、通気孔１３ａを覆うカバー部材１６が設けられているため、通気孔１３ａに水が浸入するのを抑制することができる。
【００４６】
また、本実施の形態に係るチリングユニット１００において、ドレン板１３は、通気孔１３ａの周縁に、上方に突出した周壁部１３ｂを有している。そのため、周壁部１３ｂによって、水が通気孔１３ａに浸入するのを抑制する効果を高めることができる。
【００４７】
また、本実施の形態に係るチリングユニット１００において、ドレン板１３には、下方に凹んだドレン樋１３ｃが形成されており、カバー部材１６は、通気孔１３ａとドレン樋１３ｃとを連通させている。
【００４８】
本実施の形態に係るチリングユニット１００によれば、カバー部材１６が通気孔１３ａとドレン樋１３ｃとを連通させているため、排水性を向上させつつ、機械室１５から送風機室２２へ向かう風路を形成することができる。
【００４９】
また、本実施の形態に係るチリングユニット１００において、ドレン板１３の下面には、ダクト５３から排出された空気を通気孔１３ａに案内するガイド部材１７が設けられている。
【００５０】
本実施の形態に係るチリングユニット１００によれば、ドレン板１３の下面には、ダクト５３から排出された空気を通気孔１３ａに案内するガイド部材１７が設けられているため、排熱性を向上させることができる。
【符号の説明】
【００５１】
１０  筐体、１１  第一側板、１２  第二側板、１３  ドレン板、１３ａ  通気孔、１３ｂ  周壁部、１３ｃ  ドレン樋、１４  底板、１５  機械室、１６  カバー部材、１７  ガイド部材、２０  空気熱交換器、２２  送風機室、３０  第一ファンユニット、３１  ファン、３２  ファンカバー、３３  第一排気口、４０  冷媒回路、４１  圧縮機、４２  水熱交換器、４３  第一接続配管、４４  第二接続配管、４５  戻り管、４６  送給管、５０  制御箱、５１  ファン基板ヒートシンク、５２  圧縮機基板ヒートシンク、５３  ダクト、５４  台板金、５５  ストッパー、５５ａ  凹部、６０  第二ファンユニット、６０ａ  第二ファンユニット、６０ｂ  第二ファンユニット、６１  第二ファン、６２  第二ファンカバー、６３  第二排気口、６４  連結部、６５  固定部、６６  突起部、６６ａ  水平部、６６ｂ  先端部、１００  チリングユニット、ｔ  隙間。
【図１】
2021024409.tif 000003
【図２】
2021024409.tif 000004
【図３】
2021024409.tif 000005
【図４】
2021024409.tif 000006
【図５】
2021024409.tif 000007
【図６】
2021024409.tif 000008
【図７】
2021024409.tif 000009
【図８】
2021024409.tif 000010
【図９】
2021024409.tif 000011
【図１０】
2021024409.tif 000012
【図１１】
2021024409.tif 000013
【図１２】
2021024409.tif 000014
【図１３】
2021024409.tif 000015
【図１４】
2021024409.tif 000016
【図１５】
2021024409.tif 000017
【図１６】
2021024409.tif 000018
【国際調査報告】
2021024409.tif 000019
2021024409.tif 000020